(57)【要約】【課題】脱ぎやすさが向上されうる釣り用履き物の提供。【解決手段】履き物の内部と外部とを連通する通気穴２２と、この通気穴２２の開閉を可能とする閉塞部材２４とを有する釣り用履き物２である。この閉塞部材２４が外された状態で履き物を脱ぐことにより、外部の空気が通気穴２２を通して内部に導入されうる。これにより、履き物内部における一時的な圧力低下が緩和される。この釣り用履き物は、足に装着された状態において、その通気穴２２が人体の足首よりもつま先側に位置しているのが好ましい。この釣り用履き物は、足に装着された状態において、その通気穴２２が、人体の足首よりも踵側に位置しているのが好ましい。履き物の使用時には、通気穴２２は閉塞部材２４により閉塞される。この閉塞により、通気穴２２からの水の浸入が防止される。【選択図】図３
2008006118.tif 000002
【特許請求の範囲】
【請求項１】
履き物の内部と外部とを連通する通気穴と、この通気穴の開閉を可能とする閉塞部材とを有し、
この閉塞部材が外された状態で履き物を脱ぐことにより、外部の空気が上記通気穴を通して内部に導入されうる釣り用履き物。
【請求項２】
足に装着された状態において、上記通気穴が、人体の足首よりもつま先側に位置している請求項１に記載の釣り用履き物。
【請求項３】
足に装着された状態において、上記通気穴が、人体の足首よりも踵側に位置している請求項１に記載の釣り用履き物。
【請求項４】
履き物の少なくとも一部を覆っている帯状部を有し、
この帯状部が、上記通気穴を閉塞した状態の上記閉塞部材を覆っており、
この帯状部は、履き物の内部に足が挿入されることにより弾性的に伸ばされるように構成されており、
この伸ばされた帯状部の収縮力により、上記閉塞部材が押圧される請求項１に記載の釣り用履き物。
【発明の詳細な説明】
【技術分野】
【０００１】
本発明は、釣り人に着用される履き物に関する。
【背景技術】
【０００２】
釣りは、滑りやすい場所で行われることが多い。例えば海釣りは、海藻が付着した岩場や、海水でぬれた防波堤等で行われる。渓流の釣りでは、下半身が水につかった状態で釣りが行われる。釣りは、水に濡れやすい場所で行われる。
【０００３】
釣り用履き物においては、濡れにくさや滑りにくさが考慮される。釣り用履き物として、ウェーダー、ブーツ等が公知である。
【発明の開示】
【発明が解決しようとする課題】
【０００４】
水の浸入を抑制する観点から、釣り用履き物は、足に密着しやすい構造とされている。足との一体性を高めて動きやすくする観点からも、釣り用履き物は、足に密着しやすい構造とされている。この密着は、釣り用履き物を脱ぐ際において、履き物の内部への空気の浸入を阻害する。この密着により、釣り用履き物を脱ぐ際において、履き物内部の圧力が一時的に低下しやすい。この圧力の低下により、履き物は足に吸い付く。この圧力の低下は、釣り用履き物を脱ぎにくくする。
【０００５】
水の浸入を抑制する観点から、ウェーダーやブーツなどの釣り用履き物は、履き物の開口部から底部までの距離が比較的長い。この距離の長さにより、空気は、開口部から底部へと入り込みにくい。この距離の長さにより、釣り用履き物を脱ぐ際において、履き物内部の圧力が一時的に低下しやすい。この圧力の低下により、履き物は足に吸い付く。この圧力の低下は、釣り用履き物を脱ぎにくくする。
【０００６】
本発明の目的は、脱ぎやすさを向上させた釣り用履き物の提供にある。
【課題を解決するための手段】
【０００７】
本発明に係る釣り用履き物は、履き物の内部と外部とを連通する通気穴と、この通気穴の開閉を可能とする閉塞部材とを有する。この釣り用履き物では、上記閉塞部材が外された状態で履き物を脱ぐことにより、外部の空気が上記通気穴を通して内部に導入されうる。
【０００８】
好ましくは、足に装着された状態の上記釣り用履き物において、上記通気穴は、人体の足首よりもつま先側に位置している。
【０００９】
好ましくは、足に装着された状態の上記釣り用履き物において、上記通気穴は、人体の足首よりも踵側に位置している。
【００１０】
好ましくは、上記釣り用履き物は、履き物の少なくとも一部を覆っている帯状部を有する。好ましくは、この帯状部が、上記通気穴を閉塞した状態の上記閉塞部材を覆っている。好ましくは、この帯状部は、履き物の内部に足が挿入されることにより弾性的に伸ばされるように構成されている。好ましくは、この伸ばされた帯状部の収縮力により、上記閉塞部材が押圧される。
【発明の効果】
【００１１】
閉塞部材を開けた状態で履き物を脱ぐことにより、履き物の外部から内部へと空気が導入されうる。この空気により、履き物内部の圧力の低下が抑えられ、靴が脱ぎやすくなる。履き物として使用される際には、閉塞部材を閉じておくことにより、履き物内部への水の浸入は防止されうる。
【発明を実施するための最良の形態】
【００１２】
以下、適宜図面が参照されつつ、好ましい実施形態に基づいて本発明が詳細に説明される。
【００１３】
図１は、本発明の第一実施形態に係るウェーダー２が示された斜視図である。このウェーダー２は、トラウザー４と、一対のブーツ部６（履き物部）とからなる。トラウザー４は、ブーツ部６と接合されており、トラウザー４とブーツ部６とは一体となっている。
【００１４】
トラウザー４は、尻部８と、一対の脚部１０と、一対の肩ベルト１２とを備えている。トラウザー４は、防水透湿生地からなる。この防水透湿生地により、外部からの水の浸入が阻止され、汗の水蒸気が外部へと放出される。この防水透湿生地により、蒸れが抑制される。防水透湿生地の具体例としては、シマノ社の「ドライシールド」及びゴアテックス社の「ＧＯＲＥ−ＴＥＸ（登録商標）」が挙げられる。
【００１５】
図２は、図１のウェーダー２の一部が示された拡大図であり、図３はその要部の断面図である。図２には、トラウザー４の脚部１０の一部と、ブーツ部６とが示されている。図３には、ブーツ部６が示されている。
【００１６】
ブーツ部６は、底部１９と本体２０とを備える。底部１９は、防滑ソール１４、ミッドソール１６及びインソール１８を備えている。ブーツ部６に代えて、地下足袋又は靴が、履き物部として用いられても良い。底部１９の構成は、特に限定されない。
【００１７】
防滑ソール１４は、フェルトからなる。フェルトは、濡れた岩場等におけるブーツ部６のスリップを防止する。防滑ソール１４は、面ファスナー（図示省略）によってミッドソール１６に接合されている。防滑ソール１４は、ミッドソール１６に対して着脱自在である。フェルトが摩耗した場合は、防滑ソール１４が交換されうる。
【００１８】
ミッドソール１６は、ゴム組成物が架橋されてなる。ミッドソール１６には、強度に優れたゴムが用いられる。好ましいゴムとしては、天然ゴム、ポリブタジエン及びスチレン−ブタジエン共重合体が例示される。ミッドソール１６は、加硫接着によって本体２０と水密に接合されている。ミッドソール１６が、接着剤によって本体２０に接合されてもよい。
【００１９】
本体２０は、ゴム組成物が架橋されてなる。典型的には、本体２０に天然ゴムが用いられる。本体２０に合成ゴムが用いられても良い。本体２０は、強度及び剛性に優れる。本体２０の硬度Ｈｓは、４０以上６０以下が好ましい。硬度Ｈｓは、スプリング式硬度計（ＪＩＳ−Ａ型）によって測定される。本体２０の厚みは、０．５ｍｍ以上２ｍｍ以下が好ましい。
【００２０】
図３が示すように、ブーツ部６は、その内部と外部とを連通する通気穴２２を有している。通気穴２２は、本体２０に設けられている。更にブーツ部６は、通気穴２２の開閉を可能とする閉塞部材としての栓体２４を有する。栓体２４は、連結部材２６によって本体２０と連結している。連結部材２６の一端部は栓体２４に取り付けられており、連結部材２６の他端部は本体２０に取り付けられている。
【００２１】
通気穴２２は、穴形成体２８により形成されている。穴形成体２８が通気穴２２を有しており、この穴形成体２８が、本体２０に取り付けられている。穴形成体２８は、本体２０の開口部に取り付けられている。穴形成体２８と本体２０との境界部は、水密とされている。    
【００２２】
栓体２４及び穴形成体２８は、軟質な材料からなる。この軟質な材料として、樹脂やゴムが例示される。この樹脂として、ポリ塩化ビニル、ポリプロピレン、ポリエチレン等が例示される。これらの軟質な材料は、開閉部２９の水密性を向上させるのに役立つ。
【００２３】
栓体２４は、通気穴２２に対して着脱自在である。栓体２４は、通気穴２２を密封しうる。栓体２４が通気穴２２に取り付けられることにより、通気穴２２は塞がれる。栓体２４が通気穴２２に装着されることにより、通気穴２２からの水の浸入が阻止される。栓体２４が通気穴２２から外されると、空気は、通気穴２２を通過することができる。穴形成体２８と栓体２４とにより、通気穴２２を開閉しうる開閉部２９が構成されている。
【００２４】
栓体２４は、通気穴２２に挿入される挿入部３０を有する（図３参照）。挿入部３０の最大径は、通気穴２２の内径よりも若干大きくされている。挿入部３０は、通気穴２２を弾性変形させて押し広げつつ、通気穴２２に挿入される。この挿入により、挿入部３０は、通気穴２２の内面に密着しうる。この密着により、水は通気穴２２を通過できない。更に、栓体２４は、蓋部３２を有する。この蓋部３２は、通気穴２２と挿入部３０との境界部を外部から覆いうる。蓋部３２は、開閉部２９の水密性を向上させるのに役立つ。栓体２４により通気穴２２が塞がれている限り、水は、通気穴２２を通過できない。挿入部３０は、先端部が太くされ、かつこの先端部が円錐状とされている。この先端部の形状は、挿入部３０を通気穴２２に挿入しやすくする。この先端部の形状は、挿入部３０を通気穴２２から抜けにくくする。
【００２５】
図３の破線部は、栓体２４が通気穴２２から外された状態を示している。通気穴２２から外された栓体２４は、連結部材２６により、本体２０と連結されている。連結部材２６は、栓体２４の紛失を防止する。連結部材２６は、通気穴２２から外された状態の栓体２４を、通気穴２２に装着しやすい位置に保持する。連結部材２６は、栓体２４の着脱を容易とする。
【００２６】
水の流れに足を取られにくくする観点から、脚部１０は、人体の脚に密着しやすい構造とされている。足との一体性を高めて動きやすくする観点から、ブーツ部６は、足に密着しやすい構造とされている。ウェーダー２と人体との密着は、ウェーダー２を脱ぐ際において、ウェーダー２内部への空気の流入を阻害する。更に、水の浸入を抑制する観点から、ウェーダー２は、その開口部（人体の腰に当たる部分）から底部までの距離が長い。この距離の長さは、ブーツ部６の内部への空気の入り込みにくさを助長する。よって、ウェーダー２を脱ぐ際において、ブーツ部６内部の圧力が一時的に低下しやすい。この圧力の低下により、ブーツ部６が足に吸い付く。この圧力の低下は、ブーツ部６を脱ぎにくくする。
【００２７】
開閉部２９は、ウェーダー２を脱ぎやすくする。ウェーダー２を脱ぐ際には、栓体２４が通気穴２２から外される。これにより、外部の空気が、通気穴２２を通じてブーツ部６の内部へと導入されうる。ブーツ部６の内部へと導入された空気により、ブーツ部６内部の圧力の低下が抑制され、ウェーダー２が脱ぎやすくなる。
【００２８】
更に、開閉部２９は、ウェーダー２を履きやすくする。ウェーダー２を履く際には、栓体２４が通気穴２２から外されるのがよい。これにより、通気穴２２を通じて、ブーツ部６内部の空気が、外部に逃げる。この空気の逃げにより、ブーツ部６内部の圧力の上昇が抑制され、ウェーダー２が履きやすくなる。
【００２９】
ウェーダー２が使用される際には、通気穴２２が栓体２４により閉じられる。即ち、ウェーダー２が使用される際には、開閉部２９が閉じられる。よって、ウェーダー２を入水させても、ブーツ部６の内部には水が浸入しない。
【００３０】
図４は、本発明の第二実施形態に係るウェーダー３４の一部が示された拡大図であり、図５はその要部の断面図である。図４には、トラウザー３６の脚部の一部と、ブーツ部３８とが示されている。図５には、ブーツ部３８が示されている。このウェーダー３４は、トラウザー３６と、一対のブーツ部３８（履き物部）とからなる。トラウザー３６は、ブーツ部３８と接合されており、トラウザー３６とブーツ部３８とは一体となっている。図示は省略されるが、トラウザー３６の構造は、前述したウェーダー２のトラウザー４と同じである。
【００３１】
ブーツ部３８は、底部４０と本体４２とを備える。底部４０は、防滑ソール４４、ミッドソール４６及びインソール４８を備えている。ブーツ部３８に代えて、地下足袋又は靴が、履き物部として用いられても良い。底部４０の構成は、特に限定されない。
【００３２】
防滑ソール４４は、フェルトからなる。フェルトは、濡れた岩場等におけるブーツ部３８のスリップを防止する。防滑ソール４４は、面ファスナーによってミッドソール４６に接合されている。防滑ソール４４は、ミッドソール４６に対して着脱自在である。フェルトが摩耗した場合は、防滑ソール４４が交換されうる。
【００３３】
ミッドソール４６は、ゴム組成物が架橋されてなる。ミッドソール４６には、強度に優れたゴムが用いられる。好ましいゴムとしては、天然ゴム、ポリブタジエン及びスチレン−ブタジエン共重合体が例示される。ミッドソール４６は、加硫接着によって本体４２と水密に接合されている。ミッドソール４６が、接着剤によって本体４２に接合されてもよい。
【００３４】
本体４２は、ゴム組成物が架橋されてなる。典型的には、本体４２に天然ゴムが用いられる。本体４２に合成ゴムが用いられても良い。本体４２は、強度及び剛性に優れる。本体４２の硬度Ｈｓは、４０以上６０以下が好ましい。硬度Ｈｓは、スプリング式硬度計（ＪＩＳ−Ａ型）によって測定される。本体４２の厚みは、０．５ｍｍ以上２ｍｍ以下が好ましい。
【００３５】
図５が示すように、ブーツ部３８は、開閉部２９を有する。図５に示された開閉部２９の構造は、図３で示されたものと同一である。この開閉部２９は、ブーツ部３８の内部と外部とを連通する通気穴２２を有している。通気穴２２は、本体４２に設けられている。更に開閉部２９は、通気穴２２の開閉を可能とする閉塞部材としての栓体２４を有する。通気穴２２は、穴形成体２８により形成されている。穴形成体２８は、本体４２の開口部に取り付けられている。穴形成体２８は、本体４２に対して水密に取り付けられている。栓体２４、通気穴２２及び穴形成体２８の構造及び材質は、前述したウェーダー２が有するものと同一である。即ち、開閉部２９の構造及び材質は、前述したウェーダー２が有するものと同一である。
【００３６】
ブーツ部３８は、帯状部としてのベルト４４を有している。ベルト４４は、ブーツ部３８の甲部（足の甲が当たる部分）に設けられている。ベルト４４は、ブーツ部３８の一部を覆っている。ベルト４４は、本体４２の一部を覆っている。ベルト４４は、本体４２のインサイド側の下縁部から本体４２のアウトサイド側の下縁部にまで伸びている。ベルト４４の両端部は、本体４２又は底部４０に接合されている。しかし、ベルト４４の中間部は、本体４２及び底部４０に接合されていない。ベルト４４の中間部とは、ベルト４４の両端部以外の部分である。
【００３７】
ベルト４４は、伸縮性材料からなる。例えばベルト４４は、シート状のゴムよりなる。履かれた状態において、ベルト４４は、その長手方向に伸ばされた状態となる。ベルト４４は、ウェーダー３４の内部に足が挿入されることにより弾性的に伸ばされるように構成されている。伸ばされたベルト４４は、常時長手方向に縮もうとする。この縮もうとする力によって、ベルト４４は、本体４２を外側から締め付ける。この締め付けにより、人体の足とブーツ部３８との一体性が高まる。ベルト４４の一例は、従来において甲部センターベルト等と称されるものである。
【００３８】
ベルト４４は、通気穴２２を閉塞した状態における栓体２４を覆っている。ベルト４４は、開閉部２９を覆っている。縮もうとする力（収縮力）により、ベルト４４は、栓体２４を、穴形成体２８に向かって押圧する。この押圧による力は、栓体２４の外れを防止しうる方向に作用する。ベルト４４の押圧により、栓体２４は、通気穴２２から外れにくい。ベルト４４は、栓体２４の外れを防止する。栓体２４を取り外す際には、ベルト４４を引き延ばせばよい。ベルト４４により、栓体２４が露出しない。ベルト４４により、栓体２４が岩等に摺れて外れてしまうことがない。
【００３９】
ベルト４４の押圧により、栓体２４における蓋部３２は、穴形成体２８の端面４５（図５参照）に押し付けられる。即ち、ベルト４４の押圧により、蓋部３２と穴形成体２８との密着性が高まる。この蓋部３２と穴形成体２８との密着は、開閉部２９の水密性をより一層向上させる。
【００４０】
ベルト４４は、人体の足とブーツ部３８との一体性を高めるのに適した位置に設けられている。ウェーダー３４の開閉部２９は、このベルト４４の位置に対応した位置に設けられている。ベルト４４は、閉塞部材（栓体２４）の少なくとも一部を覆っている。好ましくは、ベルト４４は、閉塞部材（栓体２４）の全体を覆っている。
【００４１】
図６は、本発明の  第三実施形態に係るウェーダー５０におけるブーツ部５２の断面図である。このウェーダー５０は、トラウザー（図示省略）と、一対のブーツ部５２（履き物部）とからなる。トラウザーは、ブーツ部５２と接合されており、トラウザーとブーツ部５２とは一体となっている。トラウザーの構造は、前述したトラウザー４と同じである。
【００４２】
ブーツ部５２は、底部５４と本体５６とを備える。底部５４は、防滑ソール５８、ミッドソール５７及びインソール５９を備えている。底部５４の構造は、前述した底部１９と同じである。
【００４３】
ブーツ部５２は、開閉部２９及び連結部材２６を有する。開閉部２９及び連結部材２６の材質及び構造は、前述したブーツ部６に設けられたものと同じである。開閉部及び連結部材に関して、図６において図３と同しの符合が付され且つ説明が省略される。
【００４４】
このブーツ部５２では、開閉部２９が、踵部に設置されている。足に装着された状態において、ブーツ部５２の通気穴２２は、人体の足首よりも踵側に位置している。足に装着された状態において、ブーツ部５２の開閉部２９は、人体の足首よりも踵側に位置している。一方、前述したウェーダー２のブーツ部６においては、このブーツ５２と異なる位置に開閉部２９が設けられている。足に装着された状態において、ブーツ部６の通気穴２２は、人体の足首よりもつま先側に位置している。このように、通気穴２２又は開閉部２９が設置される位置は、特に限定されない。
【００４５】
履き物を脱ぐ過程の初期段階においては、つま先付近又は踵付近に空間が出来やすい。履き物を脱ぐ際に、内部の圧力が低下しやすい部分は、つま先付近又は踵付近である。前述したウェーダー２のように、通気穴２２を人体の足首よりもつま先側に配置することにより、履き物を脱ぐ際における内部の圧力低下が効果的に抑制される。前述したウェーダー５０のように、通気穴２２を人体の足首よりも踵側に配置することにより、履き物を脱ぐ際における内部の圧力低下が効果的に抑制される。
【００４６】
図７は、本発明の第四実施形態に係るブーツ６０の側面図である。図８は、ブーツ６０の要部断面図である。図８は、ブーツ６０のつま先部分を示している。
【００４７】
このブーツ６０は、本体６２と底部６４とを備えている。本体６２の材質は、前述したウェーダー２におけるブーツ部６の本体２０と同様である。
【００４８】
ブーツ６０は、フード６５を有している。フード６５は、本体６２の上端に設けられている。フード６５は、本体６２よりも剛性の低い材料よりなる。フード６５は、ブーツ６０を履きやすくする。フード６５の材質としては、ナイロン、ポリ塩化ビニル（ＰＶＣ）、ＰＶＣ合成皮革等が挙げられる。
【００４９】
ブーツ６０は、ベルト６６を有している。このベルト６６の構造及び材質は、前述したウェーダー３４におけるベルト４４と同様である。ベルト６６は、ブーツ６０の甲部（足の甲が当たる部分）に設けられている。ベルト６６は、ブーツ６０の一部を覆っている。ベルト６６は、本体６２の一部を覆っている。ベルト６６は、本体６２のインサイド側の下縁部から本体６２のアウトサイド側の下縁部にまで伸びている。ベルト６６の両端部は、本体６２又は底部６４に接合されている。しかし、ベルト６６の中間部は、本体６２に接合されていない。ベルト６６の中間部とは、ベルト６６の両端部以外の部分である。
【００５０】
ベルト６６は、伸縮性材料からなる。例えばベルト６６は、シート状のゴムよりなる。履かれた状態において、ベルト６６は、その長手方向に伸ばされた状態となる。ベルト６６は、ブーツ６０の内部に足が挿入されることにより弾性的に伸ばされるように構成されている。伸ばされたベルト６６は、常時長手方向に縮もうとする。この縮もうとする力によって、ベルト６６は、本体６２を外側から締め付ける。この締め付けにより、人体の足とブーツ６０との一体性が高まる。ベルト６６の一例は、従来において甲部センターベルト等と称されるものである。
【００５１】
底部６４は、インソール６８、ミッドソール７０、保持層７２及びアウトソール７４を備えている。
【００５２】
インソール６８は、布又は発泡合成樹脂からなる。このインソール６８は、ブーツ６０を履く動作及びブーツ６０を脱ぐ動作において、足の滑りに寄与する。インソール６８はまた、履き心地に寄与する。インソール６８が省略されてもよい。
【００５３】
ミッドソール７０は、インソール６８と積層されている。インソール６８とミッドソール７０とは、接着剤により接着されている。ミッドソール７０は、ゴム又は合成樹脂を基材とする。典型的な基材は、エチレン−酢酸ビニル共重合体（ＥＶＡ）である。ミッドソール７０は、発泡体からなる。ミッドソール７０は、衝撃吸収に寄与する。
【００５４】
保持層７２は、ミッドソール７０と積層されている。保持層７２とミッドソール７０とは、接着剤により接合されている。接着剤の基材ポリマーとしては、ポリウレタン（ＰＵ）、ポリクロロプレン（ＣＲ）及びアクリロニトリル−ブタジエン共重合体（ＮＢＲ）が例示される。接着剤が省略されてもよい。保持層７２は、発泡合成樹脂からなる。保持層７２の典型的な基材樹脂は、エチレン−酢酸ビニル共重合体である。保持層７２の発泡倍率は、ミッドソール７０の発泡倍率よりも大きい。保持層７２は、変形能に優れる。保持層７２は、省略されてもよい。
【００５５】
アウトソール７４は、保持層７２と積層されている。アウトソール７４と保持層７２とは、接着剤で接合されている。接着剤の基材ポリマーとしては、ポリウレタン（ＰＵ）、ポリクロロプレン（ＣＲ）及びアクリロニトリル−ブタジエン共重合体（ＮＢＲ）が例示される。接着剤が省略されてもよい。アウトソール７４は、フェルトからなる。板状のフェルトが型で打ち抜かれることにより、アウトソール７４が形成される。フェルトは、釣り場でのスリップを防止する。アウトソール７４が、ゴム又は合成樹脂からなっていてもよい。このようなブーツ６０の底部６４は、前述したウェーダー２等の底部に応用されうる。
【００５６】
ブーツ６０は、開閉部２９を有する。この開閉部２９の構造は、前述したウェーダー２が有するものと同一である。よって、開閉部２９に関し、図８では、図３と同一の符合が付されている。ブーツ６０は、連結部材２６を有する。前述したウェーダー２と同様に、この連結部材２６は、栓体２４と本体６２と連結している。連結部材２６の一端部は栓体２４に取り付けられており、連結部材２６の他端部は本体６２に取り付けられている。
【００５７】
履かれた状態のブーツ６０において、開閉部２９は、人体の足首よりもつま先側に設けられている。ブーツ６０において、開閉部２９は、ベルト６６よりもつま先側に設けられている。ベルト６６は、開閉部２９を覆っていない。ベルト６６は、通気穴２２を閉塞した状態の栓体２４を覆っていない。本発明は、このような構成でもよい。前述したウェーダー３４と同様に、ベルト６６が開閉部２９を覆う構成でもよい。
【００５８】
本発明において、通気穴及び閉塞部材の構成は、上記実施形態に記載されたものに限定されない。即ち、本発明において、開閉部の構成は、上記実施形態に記載されたものに限定されない。本発明に適用されうる開閉部として、周知のバルブに用いられているものが応用されうる。閉塞部材は、通気穴に対して着脱自在なものに限定されない。閉塞部材の回動により通気穴が開閉しうる開閉部でもよい。
【産業上の利用可能性】
【００５９】
本発明は、あらゆる釣り用履き物に適用されうる。釣り用履き物には、ウェーダー、ブーツ、足袋等が含まれる。
【図面の簡単な説明】
【００６０】
【図１】図１は、本発明の第一実施形態に係るウェーダーの斜視図である。
【図２】図２は、図１のウェーダーのブーツ部付近の側面図である。
【図３】図３は、図１のウェーダーのブーツ部の断面図である。
【図４】図４は、本発明の第二実施形態に係るウェーダーのブーツ部付近の側面図である。
【図５】図５は、図４のウェーダーのブーツ部の断面図である。
【図６】図６は、本発明の第三実施形態に係るウェーダーにおけるブーツ部の断面図である。
【図７】図７は、本発明の第四実施形態に係るブーツの側面図である。
【図８】図８は、図７のブーツのつま先付近における断面図である。
【符号の説明】
【００６１】
２、３４、５０・・・ウェーダー
４、３６・・・トラウザー
６、３８、５２・・・ブーツ部
１０・・・脚部
１４・・・防滑ソール
１６、４６、５７・・・ミッドソール
１８、４８、５９・・・インソール
１９、４０、６４・・・底部
２０、４２・・・本体
２２・・・通気穴
２４・・・栓体（閉塞部材）
２６・・・連結部材
２８・・・穴形成体
３０・・・挿入部
３６・・・トラウザー
４２、６２・・・本体
４４、６６・・・ベルト（帯状部）
６０・・・ブーツ
【図１】
2008006118.tif 000003
【図２】
2008006118.tif 000004
【図３】
2008006118.tif 000005
【図４】
2008006118.tif 000006
【図５】
2008006118.tif 000007
【図６】
2008006118.tif 000008
【図７】
2008006118.tif 000009
【図８】
2008006118.tif 000010